(57)【要約】    【課題】  真空採血に際しての真空採血管内の圧力が血管内の圧力よりも高くなることによる逆流を確実に防止することを可能とする採血針用アダプター及び真空採血用採血針を提供する。    【解決手段】  真空採血に際して採血針本体が取り付けられる採血針用アダプターであって、真空採血管に挿入される連通針３と、連通針３と基端側が固定されている針固定部材２とを備え、針固定部材２の他端には採血針本体が固定されるように構成されており、針固定部材２の中央に穴２ｂが形成されており、穴２ｂに、針固定部材２の内部流路を構成している第１，第２の流路部分が開口しており、穴２ｂに挿入されているバルブ４を穴２ｂ内で移動させることにより、第１，第２の流路部分が連通している第１の状態と、第１，第２の流路部分における血液の長さが遮断されている第２の状態とをとり得るように構成されている、採血針用アダプター１。【選択図】      図１
2005245704.tif 000002
【特許請求の範囲】
【請求項１】
真空採血管を用いた真空採血に際し、採血針本体が取り付けられる採血針用アダプターであって、
真空採血管に挿入される針先と、該針先と反対側の端部である基端とを有する連通針と、
血管に挿入される針先と、該針先とは反対側の端部に位置する基端とを有する採血針本体を基端側において固定することが可能とされている採血針本体固定部と、前記連通針を該連通針の基端側において固定している連通針固定部とを有し、採血針本体の基端と連通針の基端とを結ぶ血液流路が内部に設けられている針固定部材とを備え、
前記針固定部材内部の前記血液流路の途中において、該血液流路と交差するように穴が形成されており、該穴の側面に、前記血液流路の前記採血針本体に連なる第１の流路部分と、前記連通針に連なる第２の流路部分とが開口しており、
前記穴に挿入されており、穴の長さ方向と交差する内部流路を有するバルブをさらに備え、該バルブの内部流路が、前記穴の側面に開口している第１，第２の流路部分を連通する第１の状態と、第１，第２の流路部分間における血液の流れを遮断する第２の状態とをとり得るように前記バルブが穴内で移動され得るように構成されていることを特徴とする、採血針用アダプター。
【請求項２】
前記バルブが穴内に挿入されている小径部と、前記穴の外側に配置されており、かつ小径部よりも大きな形状の操作部とを有する、請求項１に記載の採血針用アダプター。
【請求項３】
前記内部流路が第１，第２の流路部分を連通している第１の状態と、前記内部流路が第１，第２の流路部分間を連通していない第２の状態とをとり得るように、バルブが穴内で回転され得るように構成されている、請求項１または２に記載の採血針用アダプター。
【請求項４】
前記穴の内周面に雌ねじが形成されており、前記バルブの前記穴内に挿入される部分の外周面に雄ねじが形成されている、請求項３に記載の採血針用アダプター。
【請求項５】
前記バルブが穴内で該穴の長さ方向に移動し得るように構成されており、前記内部流路が前記第１，第２の流路部分間を連通している第１の状態と、前記内部流路が第１，第２の流路部分を連通していない第２の状態とをとり得るように、前記バルブが前記穴内で穴の長さ方向に移動され得るように構成されている、請求項１または２に記載の採血針用アダプター。
【請求項６】
一端に開口を有し、該開口側から真空採血管が挿入されるように構成されている筒状のホルダー本体と、
前記筒状ホルダー本体の前記開口とは反対側端部において取り付けられている、請求項１〜５のいずれか１項に記載の採血針用アダプターとを備えることを特徴とする、真空採血用ホルダー。
【請求項７】
請求項１〜５のいずれか１項に記載の採血針用アダプターと、該採血針アダプターの採血針本体固定部に基端側部分が固定されている採血針本体とを備えることを特徴とする、真空採血用採血針。
【発明の詳細な説明】
【技術分野】
【０００１】
本発明は、真空採血法に用いられる採血針本体が取り付けられる採血針用アダプター、該採血針用アダプターが取り付けられている真空採血用ホルダー及び真空採血用採血針に関し、特に、採血中及び採血後の血液の逆流を防止する構造が備えられた採血針用アダプター、真空採血用ホルダー及び真空採血用採血針に関する。
【背景技術】
【０００２】
従来、種々の血液検査に際して、真空採血管が広く用いられている。真空採血管は、有底円筒状の採血管本体と、採血管本体の開口を閉栓する栓体とを有し、内部が減圧されている。真空採血管内の減圧を利用して、血管等から血液を真空採血管内に流入させることが可能とされている。
【０００３】
真空採血管を用いて血管から血液を採取するに際しては、被採血者の腕に駆血帯が巻かれ、被採血者の血管内の圧力が高められる。そして、採血針が血管内に挿入され、次に採血針が真空採血管と連通される。その結果、血液が血管から真空採血管の方へ流れる。そして、真空採血管内の圧力と、血管内の圧力とが平行に達した時点で血液の流れが停止する。しかる後、真空採血管が採血針から引き抜かれ、かつ採血針が血管から抜去される。そして、最後に駆血帯が被採血者から取り外される。
【０００４】
ところが、真空採血管を採血針から取り外す前に、誤って駆血帯が被採血者の腕から取り外された場合には、採血針の針先が挿入されている血管部分の圧力が真空採血管内の圧力よりも低くなる。その結果、真空採血管内の血液が採血針を経て被採血者の血管側に流れる、いわゆる逆流が生じるおそれがあった。
【０００５】
また、真空採血管の位置が、採血針の針先が挿入されている血管よりも高くなった場合にも、上記のような逆流が生じるおそれがあった。
【０００６】
他方、真空採血管内には、血液凝固を防止するためのヘパリンナトリウムなどの抗凝固剤や、凝固促進剤などの薬剤が収納されていることが多い。従って、逆流が生じると、上記薬剤が血管側に移行し、被採血者に悪影響を与えるおそれがあった。
【０００７】
そこで、下記の特許文献１には、逆流を防止するための構造が備えられた真空採血用の採血針が開示されている。また、下記の特許文献２には、採血に際しての流量を調整する機構が備えられた真空採血装置が開示されている。
【特許文献１】特開昭５７−１１６６０号公報
【特許文献２】特開昭５６−１０９６４３号公報
【発明の開示】
【発明が解決しようとする課題】
【０００８】
しかしながら、特許文献１に記載の逆流防止構造では、逆流を完全に防止することは困難であった。
【０００９】
また、特許文献２に記載の構成では、採血中の血管の潰れにより採血の継続が困難となる場合に効果が発揮される。しかしながら、血液の流れを完全に遮断するには、常に血流量を遮断するために片手で装置を抑えておく必要があった。そのため、複数の真空採血管に血液を採取するに際し真空採血管を交換する際、あるいは採血終了後に駆血帯を外す時には、全ての操作を一人で行うことが困難であった。
【００１０】
本発明の目的は、真空採血に際しての逆流をより一層確実に防止することができ、しかも採血者が容易にかつ簡単に操作することが可能であり、真空採血管の交換時や駆血帯の取り外し時などの作業を容易に行うことを可能とする、採血針用アダプター、真空採血用ホルダー及び真空採血用採血針を提供することにある。
【課題を解決するための手段】
【００１１】
本発明によれば、真空採血管を用いた真空採血に際し、採血針本体が取り付けられる採血針用アダプターであって、真空採血管に挿入される針先と、該針先と反対側の端部である基端とを有する連通針と、血管に挿入される針先と、該針先とは反対側の端部に位置する基端とを有する採血針本体を基端側において固定することが可能とされている採血針本体固定部及び、前記連通針を該連通針の基端側において固定している連通針固定部を有し、採血針本体の基端と連通針の基端とを結ぶ血液流路が内部に設けられている針固定部材とを備え、前記針固定部材内部の前記血液流路の途中において、該血液流路と交差するように穴が形成されており、該穴の側面に、前記血液流路の前記採血針本体に連なる第１の流路部分と、前記連通針に連なる第２の流路部分とが開口しており、前記穴に挿入されており、穴の長さ方向と交差する内部流路を有するバルブをさらに備え、該バルブの内部流路が前記穴の側面に開口している第１，第２の流路部分を連通する第１の状態と、第１，第２の流路部分間における血液の流れを遮断する第２の状態とをとり得るように前記バルブが穴内で移動され得るように構成されていることを特徴とする、採血針用アダプターが提供される。
【００１２】
本発明に係る採血針用アダプターのある特定の局面では、前記バルブが、穴内に挿入されている小径部と、前記穴の外側に配置されており、かつ小径部よりも大きな形状の操作部とを有する。
【００１３】
本発明の他の特定の局面では、前記内部流路が第１，第２の流路部分を連通している第１の状態と、前記内部流路が第１，第２の流路部分間を連通していない第２の状態とをとり得るように、バルブが穴内で回転され得るように構成されている。
【００１４】
本発明に係る採血針用アダプターのさらに他の特定の局面では、前記穴の内周面に雌ねじが形成されており、前記バルブの前記穴内に挿入される部分の外周面に雄ねじが形成されている。
【００１５】
本発明に係る採血針用アダプターのさらに別の特定の局面によれば、前記バルブが穴内で該穴の長さ方向に移動し得るように構成されており、前記内部流路が前記第１，第２の流路部分を連通している第１の状態と、前記内部流路が第１，第２の流路部分を連通していない第２の状態とをとり得るように前記バルブが前記穴内で穴の長さ方向に移動され得るように構成されている。
【００１６】
本発明に係る真空採血用ホルダーは、一端に開口を有し、該開口側から真空採血管が挿入されるように構成されている筒状のホルダー本体と、前記筒状ホルダー本体の前記開口とは反対側端部において取り付けられており、かつ本発明に従って構成されている採血針用アダプターとを備えることを特徴とする。
【００１７】
本発明に係る真空採血用採血針は、本発明に従って構成された採血針用アダプターと、該採血針アダプターの採血針本体固定部に基端側部分が固定されている採血針本体とを備える。
【発明の効果】
【００１８】
本発明に係る採血針用アダプターでは、針固定部材に連通針が固定されており、該針固定部材内に、連通針と、針固定部材に固定される採血針本体とを連通する血液流路が設けられており、該血液流路と交差するように穴が形成されている。そして、該穴の側面に、血液流路の第１の流路部分及び第２の流路部分が開口している。また、穴には、穴の長さ方向と交差する内部流路を有するバルブが挿入されており、バルブの内部流路が、穴の側面に開口している第１，第２の流路部分を連通している第１の状態と、バルブが第１，第２の流路部分間における血液の流れを遮断する第２の状態とをとり得るように、穴内で移動され得るように構成されている。
【００１９】
従って、真空採血に際し、採血針用アダプターの採血針本体固定部に採血針本体を固定し、穴内でバルブを移動し、第１の状態とすることにより、採血針本体と連通針とを連通させることができる。よって、採血針本体の針先を血管内に挿入し、連通針の針先により真空採血管の栓体を刺通し、連通針の先端を真空採血管内に位置させることにより、血液が採血針本体、針固定部材及び連通針を経て真空採血管内に導かれる。
【００２０】
そして、真空採血が終了した段階では、バルブを穴内で移動し、第２の状態とすればよい。第２の状態では、バルブの内部流路が、穴の側面に開口している第１，第２の流路部分を連通しておらず、第１，第２の流路部分間における血液の流れが遮断される。従って、真空採血管内の圧力が血管内の圧力よりも高くなったとしても、真空採血管内の血液の血管への逆流を確実に防止することができる。
【００２１】
バルブが穴内に挿入されている小径部と、穴の外側に配置されておりかつ小径部より大きな形状の操作部とを有する場合には、操作部が相対的に大きな形状を有するため、手などにより容易にバルブを穴内で移動させることができる。
【００２２】
内部流路が第１，第２の流路部分を連通している第１の状態と、内部流路が第１，第２の流路部分間を連通していない第２の状態とをとり得るように、バルブが穴内で回転され得るように構成されている場合には、バルブを穴の長さ方向周りに回転させるだけで、第１，第２の状態から第２，第１の状態に容易に切り換えることができる。
【００２３】
穴の内周面に雌ねじが形成されており、バルブの穴内に挿入される部分の外周面に雄ねじが形成されている場合には、バルブを穴内で回転させて第１，第２の状態から第２，第１の状態に切り換えるに際し、確実に切り換えを行うことができる。また、第１の状態及び第２の状態にバルブをより確実に維持することができる。
【００２４】
バルブが穴内で該穴の長さ方向に移動し得るように構成されており、内部流路が第１，第２の流路部分間を連通している第１の状態と、内部流路が第１，第２の流路部分を連通していない第２の状態とをとり得るようにバルブが穴内で穴の長さ方向に移動され得るように構成されている場合には、バルブを穴の長さ方向に移動させるだけで、第１の状態から第２の状態に容易に切り換えることができる。また、第２の状態から第１の状態への切り換えも、バルブを穴の長さ方向に移動させるだけで容易に達成される。
【００２５】
本発明に係る真空採血用ホルダーでは、一端に開口を有し、該開口側から真空採血管が挿入されるように構成されている筒状のホルダー本体と、該筒状のホルダー本体の開口とは反対側端部に取り付けられており、かつ本発明に従って構成されている採血針用アダプターとを備える。従って、ホルダー本体の開口から真空採血管を挿入し、かつ採血針用アダプターの採血針本体固定部に採血針本体を固定するだけで、真空採血を常法に従って容易に行うことができる。また、本発明に係る採血針用アダプターが備えられているため、真空採血管内の圧力が血管側の圧力よりも高くなったとしても、バルブを操作し、第２の状態とすることにより、逆流を確実に防止することができる。
【００２６】
本発明に係る真空採血用採血針は、本発明に従って構成された採血針用アダプターの採血針本体固定部に採血針本体の基端側部分が固定されている構造を有するため、連通針の針先を真空採血管の栓体に刺通し、採血針本体の針先を血管に挿入することにより、常法に従って真空採血を容易に行うことができる。しかも、真空採血管内の圧力が血管内の圧力よりも高くなったとしても、バルブを操作して前述した第２の状態とすることにより、逆流を確実に防止することができる。
【発明を実施するための最良の形態】
【００２７】
以下、図面を参照しつつ、本発明の具体的な実施形態を説明することにより、本発明を明らかにする。
【００２８】
図１は、本発明の第１の実施形態に係る採血針用アダプターを示す正面図である。
【００２９】
採血針用アダプター１は、針固定部材２と、連通針３と、バルブ４とを有する。
【００３０】
針固定部材２は、合成樹脂や金属などの適宜の剛性材料により構成される。本実施形態では、針固定部材２は、合成樹脂により構成されている。
【００３１】
針固定部材２の一端側には、連通針固定部２ａが設けられている。連通針固定部２ａに、連通針３が固定されている。連通針３は、ステンレスなどの金属からなり、内部に流路を有する中空針により構成されている。連通針３の針先３ａは、後述する真空採血管の栓体を刺通し得るように構成されている。
【００３２】
連通針３の針先３ａとは反対側端部である基端３ｂ側において連通針３は針固定部材２に固定されている。
【００３３】
他方、針固定部材２の中央には、穴２ｂが形成されている。穴２ｂは、針固定部材２内に、連通針３の長さ方向と直交する方向において針固定部材２を貫通するように構成されている。
【００３４】
図２（ａ）及び（ｂ）に示されているように穴２ｂの側面に、連通針３の基端３ｂの開口が臨んでいる。なお、連通針３の基端３ｂは、穴２ｂに連通しておればよく、必ずしも穴２ｂの側面に基端３ｂが至っている必要はない。
【００３５】
針固定部材２においては、穴２ｂの連通針３側の流路部分が本発明に係る第２の流路部分５を構成している。ここで、第２の流路部分５とは、穴２ｂよりも連通針３側の流路部分であり、針固定部材２により構成されている流路部分と、連通針３の針固定部材２に埋設されている部分により構成される流路部分とを包含する表現として用いることとする。
【００３６】
すなわち、連通針３の基端３ｂが穴２ｂの側面に至っている場合には、第２の流路部分５は、連通針３の針固定部材２に埋設されている部分内の流路部分により構成されることになる。他方、図２（ｂ）に示す構造とは異なり、連通針３の基端３ｂが穴２ｂの側面に至っていない場合には、連通針３の針固定部材２に埋設されている部分における連通針内部の流路部分と、連通針の基端と穴２ｂの側面との間の針固定部材２内の流路部分とが第２の流路部分を構成することになる。
【００３７】
他方、針固定部材２においては、穴２ｂを介して連通針３が固定されている部分とは反対側に、採血針本体固定部２ｃが設けられている。採血針本体固定部２ｃは、本実施形態では、先端にいくにつれて径が小さくなる円錐台状部分により構成されている。採血針本
体固定部２ｃは、一般に使用される注射針基準に準拠した採血針本体を接続できる形状が好ましい。この採血針本体固定部２ｃに、図４に示すように、採血針本体６が固定される。採血針本体６は、血管に挿入される針先６ａと、針先６ａとは反対側の端部に位置する基端６ｂとを有する。基端６ｂは、通常、合成樹脂からなる円錐台状部分で構成されている。この円錐台状部分が、針固定部材２の採血針本体固定部２ｃに外挿され得るように、前述した採血針本体固定部２ｃの形状及び大きさが定められている。なお、採血針本体固定部２ｃの外形については、採血針本体が液密的に固定され得る限り、特に限定されるものではない。
【００３８】
なお、図２（ｂ）に示すように、採血針本体固定部２ｃの外側端から、穴２ｂの側面に至るように第１の流路部分７が構成されている。第１の流路部分７は、第２の流路部分５と共に本発明における針固定部材２内の血液流路を構成しているものである。
【００３９】
なお、第１の流路部分７は、針固定部材２に設けられた空洞により形成されているが、第１の流路部分７の一部または全部が採血針本体の一部により構成されてもよい。すなわち、後述する真空採血用採血針の実施形態で示すように、採血針本体の基端側部分が針固定部材２内に埋設されてもよく、その場合には、針固定部材２内に埋設されている採血針本体部分によっても第１の流路部分の一部または全部が構成されることになる。
【００４０】
図１及び図２に示すように、上記穴２ｂ内には、バルブ４が挿入されている。バルブ４は、本実施形態では、合成樹脂により構成されているが、ステンレスなどの金属により構成されていてもよい。
【００４１】
図３（ａ），（ｂ）に正面図及び側面図で示すように、バルブ４は、穴２ｂに挿入される相対的に径の小さな円筒状の小径部４ａを有する。小径部４ａの一端には、小径部４ａよりも外形の大きな操作部４ｂが設けられている。操作部４ｂは、本実施形態では、平面形状が矩形とされている。従って、手指により操作部４ｂの向きを容易に変更することができる。言い換えれば、バルブ４を穴２ｂの長さ方向周りに容易に回転させることができる。
【００４２】
小径部４ａの他端には、係止部４ｃが設けられている。係止部４ｃは、円錐台形状の形状を有し、円錐台形状の底面において小径部４ｂに連ねられている。係止部４ｃは、バルブ４が穴２ｂから抜けるのを防止するために設けられている。従って、係止部４ｃは、円錐台状の形状に限定されず、穴２ｂよりも大きな平面形状を有する限り、適宜の形状とされ得る。
【００４３】
バルブ４の小径部４ａには、内部流路４ｄが設けられている。内部流路４ｄは、後述の第１の状態にあるときに、連通針３の長さ方向と一致する方向に延ばされる。
【００４４】
本実施形態では、バルブ４を回転することにより、内部流路４ｄの長さ方向が変化される。そして、内部流路４ｄは、両端が第１，第２の流路部分７，５と連通する第１の状態をとり得るように、バルブ４に設けられている。すなわち、バルブ４において、内部流路４ｄは、穴２ｂの長さ方向中央に位置するように設けられている。他方、第１，第２の流路部分７，５もまた、穴２ｂの長さ方向中央において穴２ｂの側面に開口している。従って、バルブ４を回転し、第１の流路部分７及び第２の流路部分５に内部流路４ｄが連通する状態、すなわち第１の状態とした場合、第１，第２の流路部分７，５が第２の内部流路４ｄを介して連通することになる。
【００４５】
本実施形態では、上記内部流路４ｄの長さ方向は、操作部４ｂの長さ方向と一致されている（図３（ａ），（ｂ）参照）。従って、バルブ４の操作部４ｂの長さ方向を連通針３
の長さ方向と一致させるように操作した場合、バルブ４が第１の状態とされる。よって、目視により、バルブ４を容易に第１の状態とすることができる。
【００４６】
他方、第１の状態からバルブ４を回転させた場合、内部流路４ｄの両端が第１，第２の流路部分７，５と連通しなくなる。従って、第１の流路部分と第２の流路部分との間を遮断することができる。本実施形態では、第１の流路部分と第２の流路部分との連通が遮断される状態が第２の状態である。従って、第１の状態から第２の状態へ切り換える際には、第１の状態からバルブ４を僅かに回転させるだけでよい。
【００４７】
もっとも、第２の状態に確実に維持するには、第１，第２の流路部分の開口が内部流路の端部開口と全く重なり合わないことが必要である。従って、本実施形態では、好ましくは、操作部４ｂの長さ方向が、連通針３の長さ方向と直交する方向、言い換えれば第１，第２の流路部分を結ぶ方向と直交する方向となるようにバルブ４を回転させることが望ましい。このようにして、バルブ４を確実に第２の状態とすることができる。
【００４８】
また、第１の状態に復帰させるには、前述したように、バルブ４の操作部４ｂの長さ方向を第１，第２の流路部分を結ぶ方向と一致させるようにバルブ４を回転させればよい。
【００４９】
従って、本実施形態の採血針用アダプター１を用いた場合、バルブ４を回転させることにより、第１の状態から第２の状態へ、また第２の状態から第１の状態へ容易にかつ確実に切り換えることができる。
【００５０】
図４に示すように、採血針用アダプター１を用いた真空採血に際しては、まず、採血針用アダプター１に、筒状のホルダー本体１１を取り付ける。筒状のホルダー本体１１としては、一端に開口１１ａを有し、他端１１ｂ側から採血針用アダプター１の連通針３が挿通される適宜の筒状ホルダーを用いることができる。
【００５１】
次に、採血針用アダプター１の採血針本体固定部２ｃに採血針本体６を固定する。
【００５２】
そして、被採血者の腕に駆血帯を取り付け、血管内の圧力を高める。しかる後、採血針本体６の針先６ａを血管に挿入する。採血針本体６の針先６ａを血管に挿入した状態で、真空採血管をホルダー本体１１の開口１１ａから挿入する。そして、連通針３により真空採血管の栓体を刺通する。その結果、常法に従って、真空採血管内の減圧度に応じて、血液が血管から真空採血管に導かれる。この場合、上記採血針用アダプター１においてバルブ４は第１の状態とされている。
【００５３】
そして、真空採血が終了した段階で、バルブ４を回転し、第２の状態とすればよい。従って、誤って真空採血管内の圧力が血管内の圧力よりも高くなったとしても、逆流を確実に防止することができる。
【００５４】
すなわち、バルブ４を第２の状態としておけば、真空採血管の取り外しよりも先に駆血帯を外したとしても、逆流は確実に防止される。また、複数本の真空採血管に順に血液を採取する場合には、真空採血管の交換に先立ちバルブを第２の状態とすればよく、真空採血管を交換した後、バルブを回転させ、第１の状態とすればよい。
【００５５】
従って、本実施形態の採血針用アダプター１を用いれば、逆流を確実に防止し、容易にかつ速やかに血液を採取することができる。
【００５６】
図５は、本発明の他の実施形態としての真空採血用採血針を示す正面図であり、図６は、本実施形態の真空採血用採血針の平面図である。本実施形態の真空採血用採血針２１は
、第１の実施形態の採血針用アダプター１に、さらに採血針本体２２が一体化された構造を有する。その他の点については、同一であるため、同一部分については同一の参照番号を付することにより、第１の実施形態において行った説明を援用することとする。
【００５７】
採血針本体２２は、針先２２ａと、針先２２ａとは反対側の基端２２ｂとを有する。  採血針本体２２は、針固定部材２において、連通針３が固定されている側とは反対側に固定されている。すなわち、採血針本体２２は、針固定部材２の長さ方向に延びるように針固定部材２にその一部が埋設されており、かつ採血針本体２２の基端２２ｂは、穴２ｂを介して連通針３の基端３ｂと対向されている。本実施形態では、基端２２ｂが穴２ｂの側面に開口している。従って、第１の流路部分７は、針固定部材２内の採血針本体２２が埋設されている部分の採血針本体内流路により構成されていることになる。なお、採血針本体２２の基端２２ｂは、穴２ｂの側面に必ずしも至っていなくともよい。その場合には、第１の流路部分７は、採血針本体２２の針固定部材２に埋設されている部分と、採血針本体２２の基端２２ｂと穴２ｂの側面に開口している部分との間の流路部分の双方により構成されることになる。
【００５８】
図７（ａ）及び（ｂ）は、本発明の第３の実施形態としての真空採血用採血針を示す各正面図である。また、図８（ａ）及び（ｂ）は、本実施形態の真空採血用採血針からバルブを取り除いた構造を示す正面図及び平面図であり、図９はバルブを示す正面図である。
【００５９】
本実施形態の真空採血用採血針３１では、針固定部材２において、貫通孔からなる穴２ｂに代えて、貫通孔ではない穴２ｅが形成されている。そして、穴２ｅの内周面には雌ねじが形成されている。その他の構造については、針固定部材２は、図１に示した針固定部材２と同様に構成されている。また、針固定部材２には、連通針３及び採血針本体２２が図５に示した真空採血用採血針２１の場合と同様にして固定されている。従って、これらの構造については、図１及び図５を参照して行った説明を援用することにより省略する。
【００６０】
本実施形態の特徴は、上記穴２ｅの内周面に雌ねじが形成されていることと、穴２ｅに挿入されるバルブ３４の小径部３４ａの外周面に雄ねじが形成されていることにある。
【００６１】
すなわち、バルブ３４は、金属または合成樹脂からなり、小径部３４ａの外周面に、穴２ｅの雌ねじとかみ合う雄ねじが形成されている。そして、小径部３４ａの頭部に、操作部３４ｂが連ねられている。操作部３４ｂは、本実施形態では、矩形の平面形状を有する。もっとも、操作部３４ｂは円形等の他の平面形状を有していてもよい。
【００６２】
本実施形態では、小径部３４ａの長さが、図７（ｂ）に示したように、操作部３４ｂの小径部３４ａ側の面３４ｂ１が針固定部材２の外表面に接触した状態、すなわち小径部３４ａを穴２ｅに完全にねじ込んだ状態において、小径部３４ａが第１，第２の流路部分を遮断する第２の状態とされている。
【００６３】
言い換えれば、小径部３４ａは、第１，第２の流路部分の穴２ｅに臨んでいる開口を閉成するように、該開口部よりも操作部３４ｂとは反対側に至り得る長さとされておればよい。
【００６４】
本実施形態の真空採血用採血針３１を使用する場合、真空採血に際しては、図７（ａ）に示すように、小径部３４ａが連通針３と採血針本体２２の基端が穴２ｅに開口している部分を閉成しない状態とする。この状態が第１の状態であり、第１，第２の流路部分が連通されることになり、血液が採血針本体２２から連通針３側に導かれ得る。そして、真空採血が終了した場合には、図７（ｂ）に示すように、バルブ３４を穴２ｅにさらにねじ込み、第２の状態とすればよい。第２の状態では、第１，第２の流路部分間の血液の流れが
小径部３４ａの存在により遮断されることになる。
【００６５】
なお、第１の状態及び第２の状態となったことを容易に確認するには、予め、操作部３４ｂの小径部３４ａ側の面３４ｂ１が針固定部材２の外表面に接触した状態において、図７（ｂ）に示したように第２の状態となるように、小径部３４ａの長さを選択しておけばよい。その場合には、第１の状態から、確実に第２の状態に切り換えることができる。
【００６６】
また、第１の状態とされていることを容易に確認し得るには、小径部３４ａのねじ山の一部に目印を付けておけばよい。すなわち、該目印が針固定部材２の外部に露出している場合には、小径部３４ａの先端が第１，第２の流路部分を結ぶ位置まで達していないことを示すように、目印を設けておけばよい。その場合、目印が目視により確認される場合には、バルブ３４が第１の状態にあることを容易に把握することができる。
【００６７】
図１０（ａ）及び（ｂ）は、本発明の第４の実施形態に係る真空採血用採血針を示す各正面図であり、図１１は平面図である。なお、図１０（ａ）は第１の状態の正面図であり、（ｂ）は第２の状態にあるときの正面図である。本実施形態の真空採血用採血針４１では、針固定部材２、連通針３及び採血針本体２２は、図５に示した実施形態と同様とされている。異なるところは、バルブ４に代えて、バルブ４４が用いられていること、並びに穴２ｂの横断面形状が後述のように矩形とされていることにある。
【００６８】
図１１及び図１２（ａ），（ｂ）に示すように、バルブ４４は、角柱状の小径部４４ａを有する。小径部４４ａは、穴２ｂの長さよりも長くされている。そして、小径部４４ａの両端に、フランジ部４４ｂ，４４ｃが設けられている。フランジ部４４ｂ，４４ｃは、その内面が穴２ｂの開口部よりも大きくされている。
【００６９】
他方、バルブ４４には、内部流路４４ｄが設けられている。なお、バルブ４４は、穴２ｂの長さ方向周りに回転しないようにされている。従って、好ましくは、バルブ４４の小径部４４ａは横断面が矩形または楕円などの形状とされていることが望ましい。本実施形態では、バルブ４４の小径部４４ａは横断面が矩形とされている。従って、穴２ｂはその横断面が矩形とされている（図１１参照）。
【００７０】
真空採血用採血針４１では、図１０（ａ）に示す状態において、バルブ４４は第１の状態にある。この場合、内部流路４４ｄが、第１，第２の流路部分を連通している状態である。そして、第２の状態に切り換えるには、バルブ４４を穴２ｂ内においてその長さ方向に移動させればよい。すなわち、図１０（ｂ）に示すように、内部流路４４ｄが第１，第２の流路部分を連通しない状態となるようにバルブ４４を小径部４４ａの長さ方向に移動させればよい。従って、真空採血用採血針４１においても、第１の状態から第２の状態への切り換え及び第２の状態から第１の状態への切り換えを容易に行うことができ、それによって逆流を確実に防止することができる。
【００７１】
なお、本発明は、上記のように、針固定部材及びバルブによる逆流防止構造を備えていることを特徴とするものであり、本発明に係る採血針用アダプターでは、図１に示した構造に限らず、上述した第２の実施形態以降の真空採血用採血針の構造を適宜採用することができる。同様に、本発明に係る真空採血用ホルダーにおいても、筒状のホルダー本体に組み合わされる針固定部材及びバルブの構造については、前述した真空採血用採血針についての実施形態の構造を適宜採用することができる。
【図面の簡単な説明】
【００７２】
【図１】本発明の第１の実施形態に係る採血針用アダプターを示す正面図。
【図２】（ａ）及び（ｂ）は、第１の実施形態の採血針用アダプターが第２の状態にある時を示す正面図並びに該採血針用アダプターからバルブを取り除いた状態を示す正面断面図。
【図３】（ａ）及び（ｂ）は、第１の実施形態で用いられているバルブを示す正面図及び側面図。
【図４】第１の実施形態に係る採血針用アダプターを組み込んだ真空採血用ホルダーに採血針本体を装着する状態を示す略図的正面図。
【図５】本発明の第２の実施形態としての真空採血用採血針を示す正面図。
【図６】図６に示した真空採血用採血針の平面図。
【図７】（ａ）及び（ｂ）は、本発明の第３の実施形態としての真空採血用採血針の各正面断面図。
【図８】（ａ）及び（ｂ）は、図７に示した真空採血用採血針からバルブを取り除いた状態を示す正面図及び平面図。
【図９】図７に示した真空採血用採血針に用いられているバルブを示す正面図。
【図１０】（ａ）及び（ｂ）は、本発明の第４の実施形態としての真空採血用採血針を説明するための各正面断面図。
【図１１】図１０に示した真空採血用採血針を示す平面図。
【図１２】（ａ）及び（ｂ）は、図１０に示した真空採血用採血針で用いられているバルブを示す正面図及び側面図。
【符号の説明】
【００７３】
１…採血針用アダプター
２…針固定部材
２ａ…連通針固定部
２ｂ…穴
２ｃ…採血針本体固定部
２ｅ…穴
３…連通針
３ａ…針先
３ｂ…基端
４…バルブ
４ａ…小径部
４ｂ…操作部
４ｃ…係止部
４ｄ…内部流路
５…第２の流路部分
６…採血針本体
６ａ…針先
６ｂ…基端
７…第１の流路部分
１１…ホルダー本体
１１ａ…開口
１１ｂ…他端
２１…真空採血用採血針
２２…採血針本体
２２ａ…針先
２２ｂ…基端
３１…真空採血用採血針
３４…バルブ
３４ａ…小径部
３４ｂ…操作部
３４ｂ１…面
４４…バルブ
４４ａ…小径部
４４ｂ，４４ｃ…フランジ部
４４ｄ…内部流路
【図１】
2005245704.tif 000003
【図２】
2005245704.tif 000004
【図３】
2005245704.tif 000005
【図４】
2005245704.tif 000006
【図５】
2005245704.tif 000007
【図６】
2005245704.tif 000008
【図７】
2005245704.tif 000009
【図８】
2005245704.tif 000010
【図９】
2005245704.tif 000011
【図１０】
2005245704.tif 000012
【図１１】
2005245704.tif 000013
【図１２】
2005245704.tif 000014